(57)【特許請求の範囲】
【請求項１】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；
短焦点距離端から長焦点距離端への変倍に際し、少なくとも、第１レンズ群と第３レンズ群と第５レンズ群とが光軸方向に移動すること；
第２レンズ群は、物体側から順に、負レンズと、負レンズと、負レンズと、正レンズと、負レンズと、正レンズとからなること；
第３レンズ群は、複数枚のレンズからなること；
第４レンズ群は、複数枚のレンズからなること；
第５レンズ群は、複数枚のレンズからなること；及び
次の条件式（１）、（２）を満足すること；
を特徴とするズームレンズ系。
（１）１．６０＜ｆ１／ｆ５＜２．４６
（２）−２．４６＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離。
【請求項２】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；
短焦点距離端から長焦点距離端への変倍に際し、少なくとも、第１レンズ群と第３レンズ群と第５レンズ群とが光軸方向に移動すること；
第２レンズ群は、物体側から順に、負レンズと、負レンズと、正レンズと、負レンズとからなること；
第３レンズ群は、複数枚のレンズからなること；
第４レンズ群は、複数枚のレンズからなること；
第５レンズ群は、複数枚のレンズからなるとともに、最も物体側に正レンズを有していること；及び
次の条件式（１）、（２）を満足すること；
を特徴とするズームレンズ系。
（１）１．６０＜ｆ１／ｆ５＜２．４６
（２）−２．４６＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離。
【請求項３】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；
短焦点距離端から長焦点距離端への変倍に際し、少なくとも、第１レンズ群と第３レンズ群と第５レンズ群とが光軸方向に移動すること；
第２レンズ群は、物体側から順に、負レンズと、負レンズと、正レンズと、負レンズと、負レンズとからなること；
第３レンズ群は、複数枚のレンズからなること；
第４レンズ群は、複数枚のレンズからなること；
第５レンズ群は、複数枚のレンズからなるとともに、最も物体側に正レンズを有していること；及び
次の条件式（１）、（２’）を満足すること；
を特徴とするズームレンズ系。
（１）１．６０＜ｆ１／ｆ５＜２．４６
（２’）−２．２０＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離。
【請求項４】
請求項１ないし３のいずれか１項記載のズームレンズ系において、
第５レンズ群は、最も像側に正レンズと負レンズの接合レンズを有しているズームレンズ系。
【請求項５】
請求項１ないし４のいずれか１項記載のズームレンズ系において、
第２レンズ群は、その最も物体側に位置させて、ガラスレンズの物体側の面に合成樹脂材料による非球面層が接着形成された負の屈折力のハイブリッドレンズを有しているズームレンズ系。
【請求項６】
請求項１ないし５のいずれか１項記載のズームレンズ系において、
第４レンズ群は、正レンズと負レンズとの接合レンズからなるズームレンズ系。
【発明の詳細な説明】
【技術分野】
【０００１】
本発明は、ズームレンズ系、例えば、レンズ交換式デジタルカメラに用いて好適なズームレンズ系に関する。
【背景技術】
【０００２】
従来、写真カメラ、電子スチルカメラ等に適した、ズームレンズ系が提案されている。例えば、特許文献１−４には、物体側から順に、正、負、正、負、正の屈折力の５つのレンズ群で構成される、正リード（ポジティブリード）型の５群ズームレンズ系が開示されている。
【０００３】
このような正リード（ポジティブリード）型のズームレンズ系は、負リード（ネガティブリード）型のズームレンズ系と比較して、広角端（短焦点距離端）におけるレンズ全長を短くすることができる。また、５群ズームレンズ系は、４群ズームレンズ系と比較して、移動レンズ群の自由度が付加されるため、ズーミング（変倍）に伴う収差変動を抑えることができる。
【０００４】
一方、例えば、近年のレンズ交換式デジタルカメラ用ズームレンズ系においては、全焦点距離（ズーム全域）にわたり、高い光学性能が求められている。
【０００５】
一般に、ズームレンズ系において、変倍作用を担うレンズ群の屈折力を大きくすると、所定の移動量で高いズーム比（変倍比）を得ることができる。しかし、その反面、ズーミング（変倍）に伴う収差変動が大きくなり、全焦点距離（ズーム全域）にわたり、良好な光学性能を得ることが難しくなる。
【先行技術文献】
【特許文献】
【０００６】
【特許文献１】特開平７−１５１９７０号公報
【特許文献２】特開２００２−１３１６４２号公報
【特許文献３】特開２００７−２１９３１５号公報
【特許文献４】特開２００９−００９１２１号公報
【発明の概要】
【発明が解決しようとする課題】
【０００７】
この点、特許文献１−４のズームレンズ系は、各レンズ群の屈折力（パワーバランス）が不適切に設定されているため、全焦点距離（ズーム全域）にわたり良好な光学性能を達成できていないという問題があった。
【０００８】
本発明は、以上の問題意識に基づいてなされたものであり、全焦点距離（ズーム全域）にわたり良好な光学性能を達成することができるズームレンズ系を得ることを目的とする。
【課題を解決するための手段】
【０００９】
本発明のズームレンズ系は、その一態様では、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；短焦点距離端から長焦点距離端への変倍に際し、少なくとも、第１レンズ群と第３レンズ群と第５レンズ群とが光軸方向に移動すること；第２レンズ群は、物体側から順に、負レンズと、負レンズと、負レンズと、正レンズと、負レンズと、正レンズとからなること；第３レンズ群は、複数枚のレンズからなること；第４レンズ群は、複数枚のレンズからなること；第５レンズ群は、複数枚のレンズからなること；及び次の条件式（１）、（２）を満足すること；を特徴としている。
（１）１．６０＜ｆ１／ｆ５＜２．４６
（２）−２．４６＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離、
である。
【００１０】
本発明のズームレンズ系は、その一態様では、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；短焦点距離端から長焦点距離端への変倍に際し、少なくとも、第１レンズ群と第３レンズ群と第５レンズ群とが光軸方向に移動すること；第２レンズ群は、物体側から順に、負レンズと、負レンズと、正レンズと、負レンズとからなること；第３レンズ群は、複数枚のレンズからなること；第４レンズ群は、複数枚のレンズからなること；第５レンズ群は、複数枚のレンズからなるとともに、最も物体側に正レンズを有していること；及び次の条件式（１）、（２）を満足すること；を特徴としている。
（１）１．６０＜ｆ１／ｆ５＜２．４６
（２）−２．４６＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離、
である。
【００１１】
本発明のズームレンズ系は、次の条件式（２’）を満足することが好ましい。
（２’）−２．２０＜ｆ４／ｆ３＜−１．８０
但し、
ｆ３：第３レンズ群の焦点距離、
ｆ４：第４レンズ群の焦点距離、
である。
【００１２】
本発明のズームレンズ系は、その一態様では、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；短焦点距離端から長焦点距離端への変倍に際し、少なくとも、第１レンズ群と第３レンズ群と第５レンズ群とが光軸方向に移動すること；第２レンズ群は、物体側から順に、負レンズと、負レンズと、正レンズと、負レンズと、負レンズとからなること；第３レンズ群は、複数枚のレンズからなること；第４レンズ群は、複数枚のレンズからなること；第５レンズ群は、複数枚のレンズからなるとともに、最も物体側に正レンズを有していること；及び次の条件式（１）、（２’）を満足すること；を特徴としている。
（１）１．６０＜ｆ１／ｆ５＜２．４６
（２’）−２．２０＜ｆ４／ｆ３＜−１．８０
但し、
ｆ１：第１レンズ群の焦点距離、
ｆ３：第３レンズ群の焦点距離、
ｆ４：第４レンズ群の焦点距離、
ｆ５：第５レンズ群の焦点距離、
である。
【００１３】
第５レンズ群は、最も像側に正レンズと負レンズの接合レンズを有することができる。
【００１５】
第２レンズ群は、その最も物体側に位置させて、ガラスレンズの物体側の面に合成樹脂材料による非球面層が接着形成された負の屈折力のハイブリッドレンズを有することができる。
【００１６】
第４レンズ群は、正レンズと負レンズとの接合レンズから構成することができる。
【発明の効果】
【００１７】
本発明によれば、全焦点距離（ズーム全域）にわたり良好な光学性能を達成することができるズームレンズ系が得られる。
【図面の簡単な説明】
【００１８】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の短焦点距離端における無限遠合焦時のレンズ構成図である。
【図３２】図３１の構成における諸収差図である。
【図３３】図３１の構成における横収差図である。
【図３４】同数値実施例６の長焦点距離端における無限遠合焦時のレンズ構成図である。
【図３５】図３４の構成における諸収差図である。
【図３６】図３４の構成における横収差図である。
【図３７】本発明によるズームレンズ系の数値実施例７の短焦点距離端における無限遠合焦時のレンズ構成図である。
【図３８】図３７の構成における諸収差図である。
【図３９】図３７の構成における横収差図である。
【図４０】同数値実施例７の長焦点距離端における無限遠合焦時のレンズ構成図である。
【図４１】図４０の構成における諸収差図である。
【図４２】図４０の構成における横収差図である。
【図４３】本発明によるズームレンズ系のズーム軌跡を示す第１の簡易移動図である。
【図４４】本発明によるズームレンズ系のズーム軌跡を示す第２の簡易移動図である。
【発明を実施するための形態】
【００１９】
本実施形態のズームレンズ系は、全数値実施例１−７を通じて、図４３、図４４の簡易移動図に示すように、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５とから構成されている。第２レンズ群Ｇ２と第３レンズ群Ｇ３の間（第３レンズ群Ｇ３の直前）には、第３レンズ群Ｇ３と一体に移動する絞りＳが位置している。Ｉは像面である。
【００２０】
本実施形態のズームレンズ系は、全数値実施例１−７を通じて、図４３、図４４の簡易移動図に示すように、短焦点距離端（Ｗｉｄｅ）から長焦点距離端（Ｔｅｌｅ）への変倍に際し、第１レンズ群Ｇ１ないし第５レンズ群Ｇ５が物体側に移動する（繰り出される）。その結果、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少する。
【００２１】
第３レンズ群Ｇ３と第５レンズ群Ｇ５は、数値実施例１、２では、図４３の簡易移動図に示すように、短焦点距離端から長焦点距離端への変倍に際し、一体に物体側に移動する（繰り出される）。これにより、鏡筒の機械構造を簡略化してコストを抑えることができる。また、製造誤差の発生要因が減少するため実用上の光学性能を維持する上で有利となる。
【００２２】
第３レンズ群Ｇ３と第５レンズ群Ｇ５は、数値実施例３−７では、図４４の簡易移動図に示すように、短焦点距離端から長焦点距離端への変倍に際し、独立して物体側に移動する（繰り出される）。これにより、ズーム移動群の自由度が付加されるため、変倍に伴う収差変動を補正する点で有利である。
【００２３】
このように、変倍時に第３レンズ群Ｇ３と第５レンズ群Ｇ５が一体に移動するか又は独立して移動するかにかかわらず、本実施形態のズームレンズ系を適用することができる。
【００２４】
なお、本実施形態のズームレンズ系は、短焦点距離端から長焦点距離端への変倍に際し、少なくとも、第１レンズ群Ｇ１と第３レンズ群Ｇ３と第５レンズ群Ｇ５が光軸方向に移動すればよい。つまり第２レンズ群Ｇ２と第４レンズ群Ｇ４は、短焦点距離端から長焦点距離端への変倍に際し、その動き（挙動）に自由度があり、例えば、光軸方向に移動しない（像面Ｉに対して固定されている）態様、及び、光軸方向に移動した後に短焦点距離端と同じ位置に戻る（例えばＵターン）態様などが可能である。
【００２５】
第１レンズ群Ｇ１は、全数値実施例１−７を通じて、物体側から順に、負レンズ１１と正レンズ１２の接合レンズと、正レンズ１３とからなる。
【００２６】
第２レンズ群Ｇ２は、数値実施例１、２、４、７では、物体側から順に、負レンズ２１と、負レンズ２２と、正レンズ２３と、負レンズ２４とからなる。負レンズ２１は、数値実施例１、２、４では、ガラスレンズの物体側の面に合成樹脂材料による非球面層が接着形成されたハイブリッドレンズからなり、数値実施例７では、ハイブリッドレンズではない球面レンズからなる。
第２レンズ群Ｇ２は、数値実施例３では、物体側から順に、負レンズ２１Ａと、負レンズ２２Ａと、正レンズ２３Ａと、負レンズ２４Ａと正レンズ２５Ａの接合レンズとからなる。
第２レンズ群Ｇ２は、数値実施例５では、物体側から順に、負レンズ２１Ｂと、負レンズ２２Ｂと、正レンズ２３Ｂと負レンズ２４Ｂの接合レンズと、負レンズ２５Ｂとからなる。負レンズ２１Ｂは、ガラスレンズの物体側の面に合成樹脂材料による非球面層が接着形成されたハイブリッドレンズからなる。
第２レンズ群Ｇ２は、数値実施例６では、物体側から順に、負レンズ２１Ｃと、負レンズ２２Ｃと、負レンズ２３Ｃと、正レンズ２４Ｃと、負レンズ２５Ｃと正レンズ２６Ｃの接合レンズとからなる。負レンズ２１Ｃは、ガラスレンズの物体側の面に合成樹脂材料による非球面層が接着形成されたハイブリッドレンズからなる。
【００２７】
第３レンズ群Ｇ３は、数値実施例１−４では、物体側から順に、正レンズ３１と、負レンズ３２と正レンズ３３の接合レンズとからなる。正レンズ３１は、数値実施例３では、その像側に非球面が形成されている。
第３レンズ群Ｇ３は、数値実施例５では、物体側から順に、正レンズ３１Ａと、正レンズ３２Ａと、正レンズ３３Ａと負レンズ３４Ａの接合レンズとからなる。
第３レンズ群Ｇ３は、数値実施例６では、物体側から順に、正レンズ３１Ｂと、正レンズ３２Ｂと負レンズ３３Ｂの接合レンズとからなる。
第３レンズ群Ｇ３は、数値実施例７では、物体側から順に、負レンズ３１Ｃと正レンズ３２Ｃの接合レンズと、正レンズ３３Ｃと負レンズ３４Ｃの接合レンズとからなる。
【００２８】
第４レンズ群Ｇ４は、数値実施例１−５、７では、負レンズ４１と正レンズ４２の接合レンズからなる。
第４レンズ群Ｇ４は、数値実施例６では、正レンズ４１Ａと負レンズ４２Ａの接合レンズからなる。
【００２９】
第５レンズ群Ｇ５は、数値実施例１、２、４−６では、物体側から順に、正レンズ５１と、負レンズ５２と正レンズ５３の接合レンズからなる。正レンズ５１は、数値実施例１、２、４では、その両面に非球面が形成されており、数値実施例５では、その物体側の面に非球面が形成されており、数値実施例６では、非球面が形成されていない（両面が球面である）。負レンズ５２は、数値実施例６では、ガラスレンズの物体側の面に合成樹脂材料による非球面層が接着形成されたハイブリッドレンズからなる。
第５レンズ群Ｇ５は、数値実施例３、７では、物体側から順に、正レンズ５１Ａと、正レンズ５２Ａと負レンズ５３Ａの接合レンズとからなる。正レンズ５１Ａの両面には非球面が形成されている。
【００３０】
本実施形態のズームレンズ系は、物体側から順に、正、負、正、負、正の屈折力の５つのレンズ群で構成される、正リード（ポジティブリード）型の５群ズームレンズ系である。これにより、負リード（ネガティブリード）型のズームレンズ系と比較して、短焦点距離端におけるレンズ全長を短くすることができ、また、４群ズームレンズ系と比較して、移動レンズ群の自由度を付加して、ズーミング（変倍）に伴う収差変動を抑えることができる。
【００３１】
また本実施形態のズームレンズ系は、第２レンズ群Ｇ２が４枚以上のレンズからなり、第３レンズ群Ｇ３、第４レンズ群Ｇ４及び第５レンズ群Ｇ５が複数枚のレンズからなる。これにより、各レンズ群単位において、球面収差、コマ収差、色収差等の補正の自由度を付加し、良好な光学性能を得ることができる。
【００３２】
そして本実施形態のズームレンズ系は、各レンズ群の屈折力配置（パワーバランス）を最適設定することで、変倍に伴う収差変動を抑えて全焦点距離（ズーム全域）にわたり良好な光学性能を達成するとともに、鏡筒構造を簡単化してコストダウンを図ることに成功している。
【００３３】
条件式（１）は、第１レンズ群Ｇ１と第５レンズ群Ｇ５との屈折力の比を規定している。条件式（１）を満足することで、歪曲収差や像面湾曲等の軸外収差を良好に補正し、また短焦点距離端における光学系全長および変倍に伴う第１レンズ群Ｇ１の移動量の増大を抑え、全焦点距離（ズーム全域）にわたり良好な光学性能を達成するとともに、鏡筒構造を簡単化してコストダウンを図ることができる。
条件式（１）の上限を超えると、短焦点距離端における光学系全長および短焦点距離端から長焦点距離端への変倍に伴う第１レンズ群Ｇ１の移動量が増大する。その結果、レンズを支持するための鏡筒構造が肥大化、複雑化しコストアップに繋がってしまう。
条件式（１）の下限を超えると、絞りＳに対して互いに最も離れて配置される第１レンズ群Ｇ１と第５レンズ群Ｇ５との屈折力の比が不適切となり、歪曲収差や像面湾曲等の軸外収差の補正が不十分となってしまう。
【００３４】
条件式（２）及び（２'）は、第３レンズ群Ｇ３と第４レンズ群Ｇ４との屈折力の比を規定している。条件式（２）を満足することで、変倍による収差変動（例えば球面収差や像面湾曲）を抑えつつ、鏡筒構造を簡単化してコストダウンを図ることができる。この作用効果は、条件式（２’）を満足することでより顕著に得ることができる。
条件式（２）及び（２'）の上限を超えると、変倍に伴う収差変動を補正する第３レンズ群Ｇ３及び第４レンズ群Ｇ４の屈折力配置が不適切になり、変倍に伴う球面収差や像面湾曲の変動が増大してしまう。
条件式（２'）の下限を超えると、短焦点距離端から長焦点距離端への変倍における第１レンズ群Ｇ１の移動量が増大する。その結果、レンズ群を繰り出すことによって発生する第１レンズ群Ｇ１の偏心を抑えるために、鏡筒構造が複雑化しコストアップに繋がってしまう。
【００３５】
本実施形態のズームレンズ系は、数値実施例３、５、６では、第２レンズ群Ｇ２が、５枚以上のレンズ（２１Ａ〜２５Ａ、２１Ｂ〜２５Ｂ、２１Ｃ〜２６Ｃ）で構成されている。第２レンズ群Ｇ２のレンズ枚数を増やすことで、収差補正の自由度を付加することができる。
【００３６】
本実施形態のズームレンズ系は、数値実施例１、２、４、７では、第２レンズ群Ｇ２が、物体側から順に、物体側に凸面を向けた負メニスカスレンズ２１、両凹負レンズ２２、両凸正レンズ２３、物体側に凹面を向けた負レンズ２４から構成されている。このような構成にすることで、球面収差、コマ収差、色収差などを良好に補正するとともに、レンズ枚数を４枚にしてコストダウンを図ることができる。
【００３７】
第２レンズ群Ｇ２の最も物体側の負レンズ２１の物体側の面を凸面とすることで、球面収差の発生を抑えることができる。負レンズ２２の物体側の面を凹面とすることで、球面収差、コマ収差を補正することができる。正レンズ２３によって、負レンズ２１、２２で発生する負のペッツバールと倍率色収差を補正することができる。負レンズ２４の物体側の面を凹面にすることで、非点収差、倍率色収差を補正することができる。
【００３８】
負レンズ２２と正レンズ２３との間には、空気間隔（空気レンズ）が存在する。これによって球面収差の補正の自由度を付加することができる。
【００３９】
本実施形態のズームレンズ系は、第４レンズ群Ｇ４が、物体側から順に位置する負レンズ４１と正レンズ４２との接合レンズ、または、物体側から順に位置する正レンズ４１Ａと負レンズ４２Ａとの接合レンズから構成されている。これにより、変倍に伴う色収差や像面湾曲の変動を抑えることができる。特に、色収差の補正が容易になる。
【実施例】
【００４０】
次に具体的な数値実施例１−７を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４１】
［数値実施例１］
図１〜図６と表１〜表４は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３は非球面データ、表４はレンズ群データである。
【００４２】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５とから構成されている。第２レンズ群Ｇ２と第３レンズ群Ｇ３の間（第３レンズ群Ｇ３の直前）には絞りＳが位置しており、この絞りＳは、第３レンズ群Ｇ３と一体に移動する。
【００４３】
第１レンズ群Ｇ１は、物体側から順に、物体側に凸の負メニスカスレンズ１１と両凸正レンズ１２の接合レンズと、物体側に凸の正メニスカスレンズ１３とからなる。
【００４４】
第２レンズ群Ｇ２は、物体側から順に、物体側に凸の負メニスカスレンズ２１と、両凹負レンズ２２と、両凸正レンズ２３と、像側に凸の負メニスカスレンズ２４とからなる。負メニスカスレンズ２１は、ガラスレンズの物体側の面に合成樹脂材料による非球面層が接着形成されたハイブリッドレンズからなる。
【００４５】
第３レンズ群Ｇ３は、物体側から順に、両凸正レンズ３１と、物体側に凸の負メニスカスレンズ３２と両凸正レンズ３３の接合レンズとからなる。
【００４６】
第４レンズ群Ｇ４は、両凹負レンズ４１と物体側に凸の正メニスカスレンズ４２の接合レンズからなる。
【００４７】
第５レンズ群Ｇ５は、物体側から順に、両凸正レンズ５１と、両凹負レンズ５２と物体側に凸の正メニスカスレンズ５３の接合レンズからなる。両凸正レンズ５１の両面には非球面が形成されている。
【００４８】
（表１）
面データ
面番号          R          d          N(d)        ν(d)
1           355.144      1.800      1.84666       23.8
2            82.785      5.750      1.81600       46.6
3          -912.971      0.100
4            45.198      4.910      1.72916       54.7
5            94.377        d5
6*          127.598      0.320      1.52972       42.7
7           127.598      1.000      1.88300       40.8
8            15.520      5.140
9           -53.138      0.820      1.81600       46.6
10           37.247      1.490
11           31.356      4.960      1.72825       28.5
12          -25.086      0.360
13          -21.184      0.980      1.81600       46.6
14          -69.048       d14
15絞           ∞       2.380
16           31.375      3.880      1.72916       54.7
17         -331.437      0.100
18           36.614      1.000      1.64769       33.8
19           12.621      6.100      1.49700       81.6
20         -114.657       d20
21          -42.888      0.800      1.72916       54.7
22           24.730      2.100      1.84666       23.8
23          125.393       d23
24*          45.690      5.800      1.51633       64.1
25*         -22.967      0.100
26         -162.958      1.000      1.80610       33.3
27           16.669      6.140      1.72916       54.7
28          123.804        -
＊は回転対称非球面である。
（表２）
各種データ
ズーム比（変倍比）    3.62
短焦点距離端          中間焦点距離          長焦点距離端
FNO.            3.6                   4.4                   5.3
f             28.73                 55.09                103.98
W              38.2                  21.0                  11.5
Y             21.64                 21.64                 21.64
fB            48.22                 60.22                 73.82
L            136.03                153.37                173.87
d5            2.961                17.633                31.160
d14          17.457                 8.130                 1.500
d20           1.947                 6.201                 8.864
d23           8.417                 4.163                 1.500
（表３）
非球面データ
面番号   K          A4           A6           A8          A10
6     0.000    0.1139E-04  -0.3323E-08  -0.6156E-10   0.3902E-12
24    0.000   -0.2058E-04   0.4184E-08   0.1615E-09   0.1248E-12
25    0.000    0.1129E-04  -0.8716E-09  -0.7529E-10   0.1145E-11
（表４）
レンズ群データ
群          始面          焦点距離
1              1             85.87
2              6            -16.72
3             16             28.98
4             21            -52.32
5             24             53.37
【００４９】
［数値実施例２］
図７〜図１２と表５〜表８は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表５は面データ、表６は各種データ、表７は非球面データ、表８はレンズ群データである。
【００５０】
この数値実施例２のレンズ構成は、数値実施例１のレンズ構成と同様である。
【００５１】
（表５）
面データ
面番号          R          d          N(d)        ν(d)
1          1208.960      1.960      1.84666       23.8
2           110.306      5.070      1.81600       46.6
3          -518.616      0.100
4            49.637      3.910      1.81600       46.6
5            79.494        d5
6*           81.778      0.150      1.52972       42.7
7            64.271      1.100      1.88300       40.8
8            14.655      5.690
9           -43.844      0.820      1.72916       54.7
10           47.989      0.480
11           29.516      4.710      1.72825       28.5
12          -29.402      0.710
13          -21.069      0.800      1.78800       47.4
14          -58.831       d14
15絞           ∞       0.910
16           31.214      2.750      1.69680       55.5
17         -171.680      0.100
18           28.446      1.040      1.80000       29.9
19           13.443      5.400      1.49700       81.6
20         -100.868       d20
21          -39.830      0.800      1.60311       60.7
22           24.992      1.720      1.84666       23.8
23           62.616       d23
24*          63.837      6.000      1.58913       61.2
25*         -25.726      0.770
26         -174.966      1.000      1.72047       34.7
27           18.437      5.760      1.61800       63.4
28          142.496        -
＊は回転対称非球面である。
（表６）
各種データ
ズーム比（変倍比）    3.57
短焦点距離端          中間焦点距離          長焦点距離端
FNO.            3.6                   4.6                   5.7
f             28.70                 54.99                102.38
W              38.1                  21.1                  11.7
Y             21.64                 21.64                 21.64
fB            43.84                 57.56                 75.00
L            128.65                150.19                179.18
d5            3.978                21.488                38.964
d14          17.516                 7.822                 1.900
d20           2.150                 6.879                 9.716
d23           9.416                 4.688                 1.850
（表７）
非球面データ
面番号   K          A4           A6           A8          A10
6     0.000    0.1315E-04   0.7792E-08  -0.1085E-09   0.6816E-12
24    0.000   -0.1280E-04  -0.1703E-07   0.6628E-09   0.4269E-12
25    0.000    0.9220E-05   0.2232E-07  -0.1534E-09   0.3866E-11
（表８）
レンズ群データ
群          始面          焦点距離
1              1            116.81
2              6            -18.44
3             16             27.54
4             21            -52.59
5             24             53.63
【００５２】
［数値実施例３］
図１３〜図１８と表９〜表１２は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表９は面データ、表１０は各種データ、表１１は非球面データ、表１２はレンズ群データである。
【００５３】
この数値実施例３のレンズ構成は、以下の点を除いて、数値実施例１、２のレンズ構成と同様である。
（１）第２レンズ群Ｇ２が、物体側から順に、物体側に凸の負メニスカスレンズ２１Ａと、両凹負レンズ２２Ａと、両凸正レンズ２３Ａと、両凹負レンズ２４Ａと両凸正レンズ２５Ａの接合レンズとからなる。
（２）第３レンズ群Ｇ３の正レンズ３１が、像側に非球面が形成された物体側に凸の正メニスカスレンズからなる。
（３）第５レンズ群Ｇ５が、物体側から順に、両凸正レンズ５１Ａと、両凸正レンズ５２Ａと両凹負レンズ５３Ａの接合レンズとからなる。両凸正レンズ５１Ａの両面には非球面が形成されている。
【００５４】
（表９）
面データ
面番号          R          d          N(d)        ν(d)
1           112.450      1.960      1.85478        24.8
2            61.367      8.225      1.49700        81.6
3         -4190.847      0.100
4            60.029      5.948      1.74320        49.3
5           222.877        d5
6            53.278      1.300      1.83481        42.7
7            14.574      6.374
8           -39.158      1.500      1.83481        42.7
9            31.847      0.100
10           25.689      5.694      1.84666        23.8
11          -57.592      1.184
12          -23.847      0.800      1.80400        46.6
13           56.234      2.474      1.84666        23.8
14         -263.337       d14
15絞           ∞       2.779
16           16.660      3.943      1.55332        71.7
17*          88.163      0.100
18           23.945      1.000      1.88300        40.8
19           11.497      5.375      1.49700        81.6
20          -68.734       d20
21          -30.574      1.260      1.74100        52.7
22           18.594      3.306      1.88300        40.8
23         1646.635       d23
24*          49.347      5.057      1.49710        81.6
25*         -24.804      0.100
26          232.936      4.651      1.64769        33.8
27          -21.935      1.000      1.85026        32.3
28          116.467        -
＊は回転対称非球面である。
（表１０）
各種データ
ズーム比（変倍比）   10.46
短焦点距離端          中間焦点距離          長焦点距離端
FNO.            3.6                   4.8                   6.3
f             18.54                 50.71                194.00
W              39.4                  15.3                   4.1
Y             14.24                 14.24                 14.24
fB            38.41                 61.12                 89.34
L            139.80                171.07                212.39
d5            2.205                26.783                51.799
d14          24.656                12.306                 2.000
d20           2.665                 3.038                 3.022
d23           7.640                 3.596                 2.000
（表１１）
非球面データ（表示していない非球面係数は0.00である）
面番号   K          A4           A6           A8          A10
17    0.000    0.1177E-04   0.2828E-08
24    0.000   -0.2175E-04   0.4220E-07  -0.1076E-08
25    0.000    0.1317E-04   0.4759E-07  -0.8808E-09  -0.3995E-12
（表１２）
レンズ群データ
群          始面          焦点距離
1              1             91.11
2              6            -12.23
3             16             26.94
4             21            -58.73
5             24             56.24
【００５５】
［数値実施例４］
図１９〜図２４と表１３〜表１６は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１３は面データ、表１４は各種データ、表１５は非球面データ、表１６はレンズ群データである。
【００５６】
この数値実施例４のレンズ構成は、数値実施例１、２のレンズ構成と同様である。
【００５７】
（表１３）
面データ
面番号          R          d          N(d)        ν(d)
1           307.486      1.500      1.84666       23.8
2           127.344      4.640      1.59522       67.7
3          -647.263      0.100
4            48.716      4.480      1.58267       46.4
5            85.163        d5
6*           59.227      0.310      1.52972       42.7
7            59.227      1.100      1.91082       35.2
8            15.884      6.810
9           -50.331      0.820      1.74100       52.7
10           48.199      0.480
11           31.509      4.340      1.80518       25.4
12          -32.818      0.560
13          -24.028      0.800      1.88300       40.8
14         -119.667       d14
15絞           ∞       3.430
16           70.625      4.830      1.65160       58.5
17          -49.323      0.100
18           26.054      1.000      1.80518       25.4
19           15.742      5.710      1.49700       81.6
20         -152.216       d20
21          -50.160      0.800      1.72342       38.0
22           21.570      2.570      1.84666       23.8
23          139.769       d23
24*         199.617      5.310      1.61881       63.8
25*         -28.724      0.100
26         -393.053      1.000      1.66998       39.3
27           18.334      7.120      1.53775       74.7
28          110.225        -
＊は回転対称非球面である。
（表１４）
各種データ
ズーム比（変倍比）    3.57
短焦点距離端          中間焦点距離          長焦点距離端
FNO.            3.6                   4.6                   5.7
f             28.71                 55.02                102.37
W              38.1                  20.9                  11.6
Y             21.64                 21.64                 21.64
fB            44.26                 58.86                 75.76
L            139.87                158.65                194.30
d5            3.030                18.168                41.829
d14          19.868                 7.608                 1.700
d20           1.500                10.051                15.407
d23          13.303                 6.046                 1.700
（表１５）
非球面データ
面番号   K          A4           A6           A8          A10
6     0.000    0.7829E-05   0.1156E-07  -0.7323E-10   0.3898E-12
24    0.000   -0.8241E-05  -0.2821E-07   0.5800E-09  -0.4961E-13
25    0.000    0.6429E-05  -0.4179E-08   0.1621E-09   0.1427E-11
（表１６）
レンズ群データ
群          始面          焦点距離
1              1            141.70
2              6            -18.93
3             16             27.55
4             21            -67.38
5             24             88.32
【００５８】
［数値実施例５］
図２５〜図３０と表１７〜表２０は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１７は面データ、表１８は各種データ、表１９は非球面データ、表２０はレンズ群データである。
【００５９】
この数値実施例５のレンズ構成は、以下の点を除いて、数値実施例１、２、４のレンズ構成と同様である。
（１）第２レンズ群Ｇ２が、物体側から順に、物体側に凸の負メニスカスレンズ２１Ｂと、両凹負レンズ２２Ｂと、両凸正レンズ２３Ｂと像側に凸の負メニスカスレンズ２４Ｂの接合レンズと、像側に凸の負メニスカスレンズ２５Ｂとからなる。負メニスカスレンズ２１Ｂは、ガラスレンズの物体側の面に合成樹脂材料による非球面層が接着形成されたハイブリッドレンズからなる。
（２）第３レンズ群Ｇ３が、物体側から順に、両凸正レンズ３１Ａと、両凸正レンズ３２Ａと、両凸正レンズ３３Ａと両凹負レンズ３４Ａの接合レンズとからなる。
（３）第５レンズ群Ｇ５の両凸正レンズ５１の両面ではなく物体側の面だけに非球面が形成されている。
【００６０】
（表１７）
面データ
面番号          R          d          N(d)        ν(d)
1           259.159      2.200      1.85150       40.8
2            87.212      8.370      1.49700       81.6
3          -629.040      0.100
4            84.516      6.870      1.59522       67.7
5           629.551        d5
6*           65.577      0.200      1.52972       42.7
7            49.788      1.600      1.83400       37.2
8            22.339      8.460
9          -108.716      1.500      1.88300       40.8
10           59.068      0.200
11           35.494      7.300      1.76182       26.5
12          -24.217      1.300      1.83481       42.7
13          -84.368      1.900
14          -25.933      1.300      1.69680       55.5
15         -199.735       d15
16絞           ∞       1.400
17           61.696      3.440      1.61800       63.4
18          -81.978      0.100
19           35.526      3.650      1.49700       81.6
20         -382.332      0.150
21           32.215      4.180      1.49700       81.6
22          -75.340      1.200      1.80000       29.9
23           41.357       d23
24         -119.191      1.300      1.74100       52.7
25           31.975      2.440      1.84666       23.8
26           67.247       d26
27*          82.546      4.140      1.61881       63.8
28          -33.323      0.100
29         -237.949      1.200      1.63930       44.9
30           34.797      4.980      1.48749       70.2
31          107.049        -
＊は回転対称非球面である。
（表１８）
各種データ
ズーム比（変倍比）   14.08
短焦点距離端          中間焦点距離          長焦点距離端
FNO.            3.5                   5.1                   6.2
f             24.15                 99.59                340.00
W              31.4                   8.0                   2.4
Y             14.24                 14.24                 14.24
fB            41.90                 76.00                 97.65
L            176.25                238.70                281.00
d5            3.514                66.509               104.383
d15          45.351                18.529                 2.000
d23           4.278                 5.255                 5.378
d26          11.633                 2.831                 2.000
（表１９）
非球面データ（表示していない非球面係数は0.00である）
面番号   K          A4           A6           A8          A10
6     0.000    0.3514E-05   0.1040E-08   0.5666E-11   0.3331E-13
27    0.000   -0.1447E-04   0.8724E-09
（表２０）
レンズ群データ
群          始面          焦点距離
1              1            162.46
2              6            -21.44
3             17             34.87
4             24            -64.13
5             27             67.58
【００６１】
［数値実施例６］
図３１〜図３６と表２１〜表２４は、本発明によるズームレンズ系の数値実施例６を示している。図３１は短焦点距離端における無限遠合焦時のレンズ構成図、図３２はその諸収差図、図３３はその横収差図であり、図３４は長焦点距離端における無限遠合焦時のレンズ構成図、図３５はその諸収差図、図３６はその横収差図である。表２１は面データ、表２２は各種データ、表２３は非球面データ、表２４はレンズ群データである。
【００６２】
この数値実施例６のレンズ構成は、以下の点を除いて、数値実施例１、２、４のレンズ構成と同様である。
（１）第１レンズ群Ｇ１の正レンズ１２が、物体側に凸の正メニスカスレンズからなる。
（２）第２レンズ群Ｇ２が、物体側から順に、物体側に凸の負メニスカスレンズ２１Ｃと、両凹負レンズ２２Ｃと、両凹負レンズ２３Ｃと、両凸正レンズ２４Ｃと、両凹負レンズ２５Ｃと両凸正レンズ２６Ｃの接合レンズとからなる。負メニスカスレンズ２１Ｃは、ガラスレンズの物体側の面に合成樹脂材料による非球面層が接着形成されたハイブリッドレンズからなる。
（３）第３レンズ群Ｇ３が、物体側から順に、両凸正レンズ３１Ｂと、両凸正レンズ３２Ｂと像側に凸の負メニスカスレンズ３３Ｂの接合レンズとからなる。
（４）第４レンズ群Ｇ４が、像側に凸の正メニスカスレンズ４１Ａと両凹負レンズ４２Ａの接合レンズからなる。
（５）第５レンズ群Ｇ５において、両凸正レンズ５１の両面が球面からなり（非球面ではなく）、負レンズ５２が物体側に凸の負メニスカスレンズからなり、正レンズ５３が両凸正レンズからなる。負メニスカスレンズ５２は、ガラスレンズの物体側の面に合成樹脂材料による非球面層が接着形成されたハイブリッドレンズからなる。
【００６３】
（表２１）
面データ
面番号          R          d          N(d)        ν(d)
1           312.054      1.700      1.84666       23.8
2            83.150      6.080      1.72916       54.7
3          3713.464      0.100
4            51.484      5.500      1.81600       46.6
5           111.252        d5
6*           57.987      0.380      1.52972       42.7
7            57.987      1.200      1.74100       52.7
8            13.301      5.800
9          -182.193      1.100      1.83481       42.7
10           42.265      1.410
11         -131.270      0.850      1.83481       42.7
12           39.619      0.100
13           27.317      4.790      1.67270       32.1
14          -45.189      1.730
15          -19.605      1.000      1.80400       46.6
16          157.471      2.470      1.84666       23.8
17          -42.405       d17
18絞           ∞       1.000
19          117.956      2.770      1.59522       67.7
20          -32.503      0.100
21           37.333      3.450      1.49700       81.6
22          -21.787      1.000      1.85026       32.3
23          -45.751       d23
24          -40.509      2.470      1.85026       32.3
25          -19.088      1.000      1.72916       54.7
26          231.691       d26
27           35.536      6.000      1.53775       74.7
28          -35.784      0.100
29*         728.467      0.150      1.52972       42.7
30          728.467      1.500      1.85026       32.3
31           26.260      5.170      1.48749       70.2
32          -67.178        -
＊は回転対称非球面である。
（表２２）
各種データ
ズーム比（変倍比）    3.88
短焦点距離端          中間焦点距離          長焦点距離端
FNO.            3.5                   4.5                   5.5
f             17.50                 35.17                 67.89
W              40.4                  21.8                  11.6
Y             14.24                 14.24                 14.24
fB            38.03                 51.13                 64.54
L            136.88                152.70                179.51
d5            2.482                17.752                35.452
d17          14.200                 5.548                 1.512
d23           3.500                11.977                17.590
d26          19.749                 7.381                 1.500
（表２３）
非球面データ（表示していない非球面係数は0.00である）
面番号   K          A4           A6           A8
6     0.000    0.9587E-05  -0.2197E-07   0.5434E-10
29    0.000   -0.1816E-04  -0.1419E-07
（表２４）
レンズ群データ
群          始面          焦点距離
1              1            100.64
2              6            -12.02
3             19             26.12
4             24            -56.41
5             27             41.76
【００６４】
［数値実施例７］
図３７〜図４２と表２５〜表２８は、本発明によるズームレンズ系の数値実施例７を示している。図３７は短焦点距離端における無限遠合焦時のレンズ構成図、図３８はその諸収差図、図３９はその横収差図であり、図４０は長焦点距離端における無限遠合焦時のレンズ構成図、図４１はその諸収差図、図４２はその横収差図である。表２５は面データ、表２６は各種データ、表２７は非球面データ、表２８はレンズ群データである。
【００６５】
この数値実施例７のレンズ構成は、以下の点を除いて、数値実施例１、２、４のレンズ構成と同様である。
（１）第１レンズ群Ｇ１の正レンズ１２が、物体側に凸の正メニスカスレンズからなる。
（２）第２レンズ群Ｇ２の負メニスカスレンズ２１が、ハイブリッドレンズではない球面レンズからなる。
（３）第３レンズ群Ｇ３が、物体側から順に、物体側に凸の負メニスカスレンズ３１Ｃと両凸正レンズ３２Ｃの接合レンズと、両凸正レンズ３３Ｃと両凹負レンズ３４Ｃの接合レンズとからなる。
（４）第５レンズ群Ｇ５が、物体側から順に、両凸正レンズ５１Ａと、像側に凸の正メニスカスレンズ５２Ａと像側に凸の負メニスカスレンズ５３Ａの接合レンズとからなる。両凸正レンズ５１Ａの両面には非球面が形成されている。
【００６６】
（表２５）
面データ
面番号          R          d          N(d)        ν(d)
1           195.880      2.000      1.84666       23.8
2            66.236      6.418      1.61800       63.4
3          1731.861      0.100
4            60.993      4.955      1.83400       37.2
5           177.413        d5
6            42.812      1.700      1.83481       42.7
7            12.897      6.016
8           -41.434      1.000      1.81600       46.6
9            30.351      1.681
10           25.069      5.106      1.75520       27.5
11          -27.403      0.513
12          -22.894      1.523      1.65160       58.5
13          104.642       d13
14絞           ∞       2.071
15           24.694      1.545      1.83400       37.2
16           14.183      3.566      1.69350       53.2
17         -105.065      0.100
18           19.304      3.267      1.49700       81.6
19          -59.248      0.900      1.84666       23.8
20           56.617       d20
21         -114.022      0.800      1.72000       50.2
22           16.363      2.847      1.80000       29.9
23           57.572       d23
24*          51.996      3.809      1.55332       71.7
25*         -26.843      5.454
26          -45.515      5.085      1.49700       81.6
27          -12.268      1.500      1.83481       42.7
28          -27.991        -
＊は回転対称非球面である。
（表２６）
各種データ
ズーム比（変倍比）    4.76
短焦点距離端          中間焦点距離          長焦点距離端
FNO.            4.0                   5.0                   6.1
f             16.40                 33.53                 78.00
W              42.6                  22.7                  10.2
Y             14.24                 14.24                 14.24
fB            24.05                 37.71                 52.22
L            115.42                132.80                164.89
d5            1.790                18.436                43.555
d13          20.444                 9.086                 2.288
d20           1.800                 2.970                 3.364
d23           5.376                 2.650                 1.500
（表２７）
非球面データ
面番号   K          A4           A6           A8
24    0.000   -0.3712E-04  -0.9621E-07   0.7962E-09
25    0.000   -0.3986E-05  -0.1063E-06   0.7354E-09
（表２８）
レンズ群データ
群          始面          焦点距離
1              1            104.06
2              6            -13.99
3             15             26.65
4             21            -65.03
5             24             42.47
【００６７】
各数値実施例の各条件式に対する値を表２９に示す。
（表２９）
実施例１      実施例２      実施例３      実施例４
条件式（１）       1.61          2.18          1.62          1.60
条件式（２）      -1.81         -1.91         -2.18         -2.45
条件式（２’）    -1.81         -1.91         -2.18         -2.45
実施例５      実施例６      実施例７
条件式（１）       2.40          2.41          2.45
条件式（２）      -1.84         -2.16         -2.44
条件式（２’）    -1.84         -2.16         -2.44
【００６８】
表２９から明らかなように、数値実施例１〜数値実施例７は、条件式（１）及び（２’）を満足しており、諸収差図及び横収差図から明らかなように諸収差及び横収差は比較的よく補正されている。
【００６９】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００７０】
Ｇ１  正の屈折力の第１レンズ群
１１  負レンズ
１２  正レンズ
１３  正レンズ
Ｇ２  負の屈折力の第２レンズ群
２１  負レンズ
２２  負レンズ
２３  正レンズ
２４  負レンズ
２１Ａ  負レンズ
２２Ａ  負レンズ
２３Ａ  正レンズ
２４Ａ  負レンズ
２５Ａ  正レンズ
２１Ｂ  負レンズ
２２Ｂ  負レンズ
２３Ｂ  正レンズ
２４Ｂ  負レンズ
２５Ｂ  負レンズ
２１Ｃ  負レンズ
２２Ｃ  負レンズ
２３Ｃ  負レンズ
２４Ｃ  正レンズ
２５Ｃ  負レンズ
２６Ｃ  正レンズ
Ｇ３  正の屈折力の第３レンズ群
３１  正レンズ
３２  負レンズ
３３  正レンズ
３１Ａ  正レンズ
３２Ａ  正レンズ
３３Ａ  正レンズ
３４Ａ  負レンズ
３１Ｂ  正レンズ
３２Ｂ  正レンズ
３３Ｂ  負レンズ
３１Ｃ  負レンズ
３２Ｃ  正レンズ
３３Ｃ  正レンズ
３４Ｃ  負レンズ
Ｇ４  負の屈折力の第４レンズ群
４１  負レンズ
４２  正レンズ
４１Ａ  正レンズ
４２Ａ  負レンズ
Ｇ５  正の屈折力の第５レンズ群
５１  正レンズ
５２  負レンズ
５３  正レンズ
５１Ａ  正レンズ
５２Ａ  正レンズ
５３Ａ  負レンズ
Ｓ  絞り
Ｉ  像面
【図１】
0006613735.tif 000002
【図２】
0006613735.tif 000003
【図３】
0006613735.tif 000004
【図４】
0006613735.tif 000005
【図５】
0006613735.tif 000006
【図６】
0006613735.tif 000007
【図７】
0006613735.tif 000008
【図８】
0006613735.tif 000009
【図９】
0006613735.tif 000010
【図１０】
0006613735.tif 000011
【図１１】
0006613735.tif 000012
【図１２】
0006613735.tif 000013
【図１３】
0006613735.tif 000014
【図１４】
0006613735.tif 000015
【図１５】
0006613735.tif 000016
【図１６】
0006613735.tif 000017
【図１７】
0006613735.tif 000018
【図１８】
0006613735.tif 000019
【図１９】
0006613735.tif 000020
【図２０】
0006613735.tif 000021
【図２１】
0006613735.tif 000022
【図２２】
0006613735.tif 000023
【図２３】
0006613735.tif 000024
【図２４】
0006613735.tif 000025
【図２５】
0006613735.tif 000026
【図２６】
0006613735.tif 000027
【図２７】
0006613735.tif 000028
【図２８】
0006613735.tif 000029
【図２９】
0006613735.tif 000030
【図３０】
0006613735.tif 000031
【図３１】
0006613735.tif 000032
【図３２】
0006613735.tif 000033
【図３３】
0006613735.tif 000034
【図３４】
0006613735.tif 000035
【図３５】
0006613735.tif 000036
【図３６】
0006613735.tif 000037
【図３７】
0006613735.tif 000038
【図３８】
0006613735.tif 000039
【図３９】
0006613735.tif 000040
【図４０】
0006613735.tif 000041
【図４１】
0006613735.tif 000042
【図４２】
0006613735.tif 000043
【図４３】
0006613735.tif 000044
【図４４】
0006613735.tif 000045